(57)【要約】【課題】カウンター上の水を容易に排水でき、入浴者の足元に水が掛かることがなく、掃除等、手入れの簡単な浴室カウンターを提供する。【解決手段】載置部１と浴室壁面Ｗに接する段部２とからなるカウンターＡであって、該載置部１は、洗い場３側から壁面Ｗ側に下り勾配が付けられ、該段部２は、その天部２３の中央から載置部１に向かって下り勾配の稜線２４を形成し、該稜線２４の両側面の左翼部２１及び右翼部２２も載置部１に向かって下り勾配面とするとともに、該左翼部２１及び右翼部２２の下り勾配の程度を載置部１の左側部１１及び右側部１２に近づくにしたがって急となるように形成する。好ましくは、載置部１の左右両側部１１、１２の上縁角を曲面とする。【選択図】図１
2005224454.tif 000002
【特許請求の範囲】
【請求項１】
載置部と浴室壁面に接する段部とからなるカウンターであって、該載置部は、洗い場側から壁面側に下り勾配が付けられ、該段部は、その天部の中央から載置部に向かって下り勾配の稜線を形成し、該稜線の両側面の左翼部及び右翼部も載置部に向かって下り勾配面とするとともに、該左翼部及び右翼部の下り勾配の程度を載置部の左側部及び右側部に近づくにしたがって急となるように形成したことを特徴とする浴室カウンター。
【請求項２】
上記載置部の左右両側部の上縁角を曲面とした請求項１に記載の浴室カウンター。
【請求項３】
上記載置部の左右両側部の上縁角を曲面とするとともに、上記段部の両端部を上記載置部の両側部より出張らせて設けた請求項１に記載の浴室カウンター。
【請求項４】
上記段部を固定手段により浴室壁面に固定して洗い場に取付けられた請求項１に記載の浴室カウンター。
【発明の詳細な説明】
【技術分野】
【０００１】
本発明は、浴室カウンターに関する。さらに詳しくは、浴室の洗い場の壁面に取付けられる浴室カウンターに関する。
【背景技術】
【０００２】
従来、ユニットバス等において、浴室を浴槽と洗い場とから構成するとともに、洗い場の壁面に、洗面器や浴用品等の載置スペースを上面に有するカウンターを浴槽と並列的に設けることが行われている。このとき、カウンターの上面に洗い場側から壁側に向けて下り勾配を付け、カウンター上にこぼれ落ちた水がカウンターの前に座っている入浴者に掛かったり、該入浴の足元に水が滞留しないように工夫された浴室カウンターが提案されている。
【特許文献１】特開平１１−１０１０１０号公報（第１−３頁、第１図、第２図）
【特許文献２】特開平１１−１８９８４号公報（第１−３頁、第２図、第４図）
【特許文献３】特開平８−８４６８０号公報（第１−３頁、第２、４、６、８図）
【発明の開示】
【発明が解決しようとする課題】
【０００３】
上記技術の一例として、上記カウンターと壁面との境界部に溝部を設け、下り勾配を流れてきた水を上記溝部に案内し、入浴者の足元を避けて排水するように工夫されたカウンターがあげられる。しかし、この場合、上記溝部に水が滞留して水垢やカビ等が発生し易くなり、また、掃除がし難いという問題がある。本発明はこのような問題を解決して、カウンター上に残留する水をなくして容易に排水できるとともに、入浴者の足元に水が掛かることがなく、掃除等、容易に手入れすることのできる浴室カウンターを提供することを、その課題とする。
【課題を解決するための手段】
【０００４】
上記課題を解決するために、本発明においては、つぎのような技術的手段を講じている。すなわち、本発明によれば、載置部と浴室壁面に接する段部とからなるカウンターであって、該載置部は、洗い場側から壁面側に下り勾配が付けられ、該段部は、その天部の中央から載置部に向かって下り勾配の稜線を形成し、該稜線の両側面の左翼部及び右翼部も載置部に向かって下り勾配面とするとともに、該左翼部及び右翼部の下り勾配の程度を載置部の左側部及び右側部に近づくにしたがって急となるように形成したことを特徴とする浴室カウンターが提供される。
【０００５】
上記載置部の左右両側部の上縁角を曲面とすることが好ましい。さらに、上記載置部の左右両側部の上縁角を曲面とするとともに、上記段部の両端部を上記載置部の両側部より出張らせて設けることが好ましい。
【０００６】
本発明にかかる浴室カウンターは、上記段部を固定手段により浴室壁面に固定することにより洗い場に取付けられる。固定手段としては、とくに限定されず、ビス留め、接着剤による接着等、公知の手段が用いられる。
【発明の効果】
【０００７】
請求項１に記載の発明は上記のとおりであり、とくに、段部は、その天部の中央から載置部に向かって下り勾配の稜線を形成し、該稜線の両側面の左翼部及び右翼部も載置部に向かって下り勾配面とするとともに、該左翼部及び右翼部の下り勾配の程度を載置部の左側部及び右側部に近づくにしたがって急となるように形成しているから、上記載置部の下り勾配に沿って流された水は、載置部の左側部、右側部から排水されるとともに、左右両翼部に沿って横方向にも流れ、載置部に残ることなくスムースに排水される。
【０００８】
上記載置部の左右両側部の上縁角が曲面とされているため、載置部の残留水が表面張力によって水滴とならずに重力により落下し、スムースに排水することができる。
【０００９】
上記載置部の左右両側部の上縁角を曲面とするとともに、上記段部の両端部を上記載置部の両側部より出張らせて設けているため、載置部の残留水が表面張力によって水滴とならずに重力により落下し、スムースに排水されるとともに、水が段部の出張った両端部でせき止められて伝わり落ち、載置部に水が残らないようにすることができる。
【００１０】
上記段部を固定手段により浴室壁面に固定して本発明にかかる浴室カウンターを洗い場に取付けることにより、入浴者の足元に水が掛かることがなく、掃除等、容易に手入れすることのできる浴室カウンターを提供することができる。
【発明を実施するための最良の形態】
【００１１】
以下、本発明の実施形態について図面を参照して、詳細に説明する。図１は、浴室の洗い場３の壁面Ｗに接して設けられた本発明にかかる浴室カウンターＡを示す斜視図である。図１からよくわかるように、上記浴室カウンターＡは、洗面器等を載置する載置部１と、左翼部２１と右翼部２２とを備えた段部２とから構成されている。図２は、浴室カウンターＡを拡大して示す斜視図であり、図３はその側面図である。
【００１２】
図２、図３からよくわかるように、上記載置部１は、洗い場側から壁側に下り勾配が付けられている。また、段部２は、その天部２３の中央から載置部１に向かって下り勾配の稜線２４が形成され、該稜線２４の両側面の左翼部２１及び右翼部２２も載置部１に向かって下り勾配面とするとともに、該左翼部２１及び右翼部２２の下り勾配の程度を載置部１の左側部１１及び右側部１２に近づくにしたがって急となるように形成している。即ち、この稜線２４と載置部１における接点を先端部２０とすると、図２に示すように、該先端部２０からの左右両翼部２１、２２の後退距離はａであり、この間の高低差は図３に示すようにｂとなる。したがって、載置部１の下り勾配に沿って流された水は、載置部１の左側部１１、右側部１２から排水されるとともに、上記高低差ｂにより左右両翼部２１、２２に沿って横方向にも流れ、載置部１に残ることなくスムースに排水される。
【００１３】
図４は、図２に示す実施形態において、載置部１の左右両側部１１、１２の角を取った第１変形例を示す側断面図であり、図２を援用して、そのＸ−Ｘ線に沿う正断面図で示す。図４に示す第１変形例においては、左右排水面が曲面Ｒとされているため、載置部１の残留水が表面張力によって水滴とならずに重力により落下し、スムースに排水することができる。図５は、第２変形例を示す斜視図であり、上記と同じく載置部１の両側部１１、１２の角を取って左右排水面が曲面Ｒとされているとともに、段部２の両端部２５、２６を上記両側部１１、１２より出張らせて設けている。このようにすることにより、上記の効果に加えて、排水が段部２の両端部２５、２６でせき止められて伝わり落ち、載置部に水が残らないよう真下にスムースに流すことができる。
【図面の簡単な説明】
【００１４】
【図１】洗い場に設けられた本発明にかかる浴室カウンターを示す斜視図である。
【図２】本発明にかかる浴室カウンターを示す斜視図である。
【図３】本発明にかかる浴室カウンターを示す側面図である。
【図４】第１変形例を示す正断面図である。
【図５】第２変形例を示す斜視図である。
【符号の説明】
【００１５】
Ａ          本発明にかかる浴室カウンター
１          載置部
１１        左側部
１２        右側部
２          段部
２０        先端部
２１        左翼部
２２        右翼部
２３        天部
２４        稜線
２５        左端部
２６        右端部
３          洗い場
Ｗ          壁面
【図１】
2005224454.tif 000003
【図２】
2005224454.tif 000004
【図３】
2005224454.tif 000005
【図４】
2005224454.tif 000006
【図５】
2005224454.tif 000007